(57)【要約】【課題】  後方に収納スペースを有し、その収納スペースに着脱自在に収納部材を設けることができるキッチンカウンターを提供する。【解決手段】  シンク１を備えたカウンター２を後方に延設し、そのカウンター２の延設された部分３の下側を収納スペースＳとし、その収納スペースＳの奥側に収納部材４が着脱自在に取り付けられる係合部５を設け、更に、カウンター２を、その後縁の全縁に亘って、同一高さで延設すると共に、係合部５が、略水平なレールとして形成し、又、係合部５が、その上下方向に配されるパネル部材６を接続することで、後方に収納スペースＳを有し、その収納スペースＳに着脱自在に収納部材４を設けることができる。【選択図】図１
2006325788.tif 000002
【特許請求の範囲】
【請求項１】
シンクを備えたカウンターを後方に延設し、そのカウンターの延設された部分の下側を収納スペースとし、その収納スペースの奥側に収納部材が着脱自在に取り付けられる係合部を設けたことを特徴とするキッチンカウンター。
【請求項２】
カウンターを、その後縁の全縁に亘って、同一高さで延設したことを特徴とする請求項１記載のキッチンカウンター。
【請求項３】
係合部が、略水平なレールとして形成されていることを特徴とする請求項１又は２記載のキッチンカウンター。
【請求項４】
係合部が、その上下方向に配されるパネル部材を接続していることを特徴とする請求項３記載のキッチンカウンター。
【発明の詳細な説明】
【技術分野】
【０００１】
本願発明は、シンクを備えたカウンターを有し、キッチンに設置されるキッチンカウンターに関するものである。
【背景技術】
【０００２】
近年のキッチンでは、キッチンとダイニングもしくはリビングなどの間に設置される、いわゆるアイランド型のキッチンの利用が高まっている。一般的なキッチンカウンターにおいては、キッチンカウンターの作業側、つまりキッチン側のカウンター下部には、調理器具などを収納する収納スペースが設けられているものの、その背面側、つまりダイニング側もしくはリビング側には収納スペースが設けられておらず、ダイニング側もしくはリビング側からのキッチンカウンターの用途は考慮されていなかった。
【０００３】
一方、特開平１０−１６５２４４号公報には、キッチンカウンターのダイニング側の下部に収納キャビネットを備えたキッチンカウンターが開示されているが、このキッチンカウンターにおいては、収納キャビネットは固定されたままであり、自由にレイアウト変更できるものではなかった。特に、このようなアイランド型のキチンカウンターをリビングに設ける時には、リビングが家具の配置換えなど、部屋の模様替えを頻繁に行う場所であるため、それに伴いキッチンカウンターのリビング側に設けられた収納スペースも、レイアウト変更可能であることが望まれている。
【特許文献１】特開平１０−１６５２４４号公報
【発明の開示】
【発明が解決しようとする課題】
【０００４】
本願発明は、上記背景技術に鑑みて発明されたものであり、その課題は、後方に収納スペースを有し、その収納スペースに着脱自在に収納部材を設けることができるキッチンカウンターを提供することである。
【課題を解決するための手段】
【０００５】
上記課題を解決するために、本願発明は、シンクを備えたカウンターを後方に延設し、そのカウンターの延設された部分の下側を収納スペースとし、その収納スペースの奥側に収納部材が着脱自在に取り付けられる係合部を設けたことを特徴とするキッチンカウンターである。
【発明の効果】
【０００６】
本願発明のキッチンカウンターにおいては、カウンターの延設された部分の下側を収納スペースとしているため、キッチンカウンターの後方を収納スペースとして有効利用でき、又、カウンターを延設しているために収納スペースに収納部材を収納しても、カウンター上での作業の邪魔にならない。又、その収納スペースの奥側に係合部を設けているため、収納部材を着脱自在に収納できる。
【発明を実施するための最良の形態】
【０００７】
図１は、本願の請求項１〜４全てに対応した一実施形態であるキッチンカウンターを示している。この実施形態のキッチンカウンターは、図１に示す如く、シンク１を備えたカウンター２を後方に延設し、そのカウンター２の延設された部分３の下側を収納スペースＳとし、その収納スペースＳの奥側に収納部材４が着脱自在に取り付けられる係合部５を設けている。
【０００８】
又、カウンター２を、その後縁の全縁に亘って、同一高さで延設している。
【０００９】
又、係合部５が、略水平なレールとして形成されている。
【００１０】
又、係合部５が、その上下方向に配されるパネル部材６を接続している。
【００１１】
以下、この実施形態のキッチンカウンターを、より具体的詳細に説明する。この実施形態のキッチンカウンターは、シンク１及びコンロや電磁調理器などの調理部７を備えたカウンター２を有しており、このカウンター２はステンレスなどの金属、人工大理石などのような樹脂で形成されている。又、シンク１にはカラン８が設けられ、又、カウンター２の電磁調理器の後ろ側には仕切り板部９が設けられており、この仕切り板部９は、板状で略矩形の仕切り板９ａと、その両端に立設され略円柱状である２つの仕切り板固定柱９ｂにより形成されている。この仕切り板固定柱９ｂにはそれぞれ、縦方向に仕切り板９ａの厚さと略同じ幅の溝が１本形成されており、仕切り板９ａの両端を、それぞれ仕切り板固定柱９ｂの溝に係合し、それぞれの仕切り板固定柱９ｂをカウンター２に固定することで、仕切り板部９がカウンター２に形成されている。
【００１２】
このカウンター２の四隅は、断面略矩形で柱状の支持脚１０で支持されており、又、それぞれの支持脚１０の下端には調節部材１１が設けられており、この調節部材１１により支持脚１０の長さを微調整できるようになっている。この四隅に設けられた支持脚１０のうち、キッチンカウンター側面側の２つの支持脚１０にはそれぞれ、上下２つの横桟１２ａが架設されており、この上下２つの横桟１２ａの略中央には、縦桟１２ｂが架設されている。この支持脚１０、横桟１２ａ及び縦桟１２ｂにより形成される開口は、側面パネル１４により閉塞されており、縦桟１２ｂよりも前側、すなわち作業側には前方側面パネル１４aが、縦桟１２ｂよりも後側には後方側面パネル１４ｂが設けられている。なおこの場合、この側面パネル１４は両側面に設けられている。
【００１３】
このカウンター２の前側、すなわち作業側の下部には、キッチンキャビネットが設けられており、なべやおたまといった調理器具を収納できるようになっている。このキッチンキャビネットの後方略中央の横幅方向に沿って、支持脚１０が２本設けられている。
【００１４】
この場合、カウンター２はキッチンキャビネットから後方に、後縁の全縁に亘って、同一高さで延設された形状となっている。このカウンター２の延設された部分３の下側、すなわちこの場合であるとキッチンキャビネットの後方は、収納スペースＳとなっており、その収納スペースＳの奥側、すなわちキッチンキャビネットの後方の後方板１７後面には、収納部材４が着脱自在に取り付けられる係合部５が設けられている。この場合、この係合部５は水平なレールとして形成され、上下方向に複数本設けられている。この係合部には、収納部材４が着脱自在に取り付けられるようになっている。この収納部材４としては、様々な形状が考えられえるが、例えば、ハンガー４ａ、ラック４ｂ、ＣＤラック４ｃや板状の棚などが挙げられる。
【００１５】
このキッチンカウンターの施工場所としては、例えば、キッチンとリビングとの間が考えられる。このときの収納スペースＳの使い方としては、板状の棚を収納部材４として取り付け、その上にテレビやスピーカーなどの音響機器を配置したり、又、観葉植物などを飾り、リビングのインテリアスペースとしても活用することができる。
【００１６】
次に、係合部５について、図２の断面図を用いて詳しく説明する。この係合部５は長尺形状であり、断面が収納スペースＳ側に開口した略コ字型のコ字型レール２１の中に、断面が収納スペースＳ側に開口し奥側上方に向かって伸びた円弧状の係合溝１９が形成された係合レール２２が結合されることで形成されている。又、コ字型レール２１の前面及び背面側には、コ字型開口の外側に突出した接続片２０が設けられている。係合部５の前面及び背面の係合溝１９の上下は外側に向かって突出しており、接続片２０を形成している。又、この係合部５の上下にはパネル部材６が配置されており、パネル部材６は断面が略矩形で中空の基材板部１５ａとその基材板部１５ａの表面、すなわち収納スペースＳ側の面に設けられた化粧板部１５ｂとからなっている。この化粧板部１５ｂには、断面略Ｖ字状のＶ溝１６が水平に複数本設けられている。このパネル部材６は、係合部５の接続片２０に係合されることで、互いに接続されている。この場合、これら係合部５及びパネル部材６は、キッチンキャビネットの後方に設けられている後方板１７に取り付けられている。
【００１７】
この係合部５に取り付けられる収納部材４には、係合溝１９の形状に対応した係合片１８が設けられている。例えば、図２にはハンガー４ａの場合を示すが、このハンガー４ａは、その上部に係合溝１９の形状に対応して、奥側上方に伸びた円弧状の係合片１８が設けられており、この係合片１８を係合溝１９の開口にあわせ、円弧方向（矢印方向）に挿入することで係合され、逆方向に動かすことで外れるようになっている。又、係合部５が略水平なレールとして形成されており、この場合、この収納部材４が水平方向にスライド可能に係合されるようになっている。
【００１８】
従って、この実施形態のキッチンカウンターにおいては、カウンター２を後方に延設しているために、カウンター２上の作業スペースを広く取ることができると共に、そのカウンター２の延設された部分３の下側を収納スペースＳとしているため、キッチンカウンターの後方を収納スペースＳとして有効に利用できる。又、その収納スペースＳの奥側に係合部５を設けているため、収納部材４を着脱自在に取り付けることができる。又、カウンター２を延設し、その延設したカウンター２の下部を収納スペースＳとしているため、収納部材４が収納スペースＳに収まり、収納部材４を収納しても、カウンター２上での作業の邪魔になることがない。
【００１９】
又、カウンター２を、その後縁の全縁に亘って、同一高さで延設しているため、カウンター２上の作業面を更に広く取れるだけではなく、カウンター２上に段差がないためキッチンカウンターの両側からの作業がしやすい。
【００２０】
又、係合部５が、略水平なレールとして形成しているため、収納部材４を水平方向の自由な位置に収納することができ、容易にレイアウト変更ができる。又、収納部材４が水平方向に沿って略同一高さで取り付けられるため、見栄えよく収納できる。
【００２１】
更に、この係合部５をレールとして上下方向に複数本設ければ、上下方向にも自由自在に収納することができ、収納部材４のレイアウトの自由度が更に向上する。又、係合部５を水平方向にスライド自在なレールとして形成すれば、収納部材４を係合部５に係合させたまま、水平方向に容易に移動させることができる。
【００２２】
又、係合部５が、その上下方向に配されるパネル部材６を接続しているため、係合部５が収納部材４を係合する役割だけでなく、パネルを接続する機能も有しており、表から釘などの取り付け部材を用いることなく、見栄えよく施工することが可能である。又、パネル部材６と係合部５とを異なる素材で形成することもでき、例えば、パネル部材６を木材で、係合部５を金属で形成することで、意匠性にも優れたキッチンカウンターとなる。
【００２３】
なお、本願発明においては、カウンター２の下部にキッチンキャビネットを設けなくてもよく、それにより、作業側の下部に自由な空間ができるため、開放感のあるキッチンカウンターとなると共に、椅子に座りながら調理をしたり、収納ボックスや収納キャビネットなどを自由にレイアウトすることもできる。
【００２４】
又、係合部５はレールとして形成するだけではなく、パンチングボードにより形成し、フックなどの着脱自在な引っ掛け部材を収納部材４として用いることもできる。これにより、上下、左右いずれの方向にも収納部材４を自由に取り付けることができる。
【００２５】
又、キッチンカウンター両側面の支持脚１０、縦桟１２ｂ及び横桟１２ａで形成される開口の後側、すなわち収納スペースＳ側を、後方壁面パネルで閉塞しているが、いずれか片方、もしくは両方を開口させたままでもよい。この開口を設けることで、キッチンカウンターの側方から収納物が見えるようになるだけではなく、収納スペースＳが開放感のあるものとなり、キッチンカウンターの設置による部屋の占有感を和らげることができる。この後方壁パネルを設けないときには、係合部５及びパネル部材６の側端面が外から見えないように、その側端面に化粧部材を設けるか、係合部５及びパネル部材６が縦桟１２ｂに収まるように設計する。
【図面の簡単な説明】
【００２６】
【図１】本願発明の一実施形態であるキッチンカウンターを示す後方からの斜視図。
【図２】同キッチンカウンターの係合部を示す要部断面図。
【符号の説明】
【００２７】
１    シンク
２    カウンター
３    延設された部分
４    収納部材
４ａ  ハンガー
４ｂ  ラック
４ｃ  ＣＤラック
５    係合部
６    パネル部材
７    調理部
８    カラン
９    仕切り板部
９ａ  仕切り板
９ｂ  仕切り板固定柱
10    支持脚
11    調節部材
12ａ  横桟
12ｂ  縦桟
13下桟
14側面パネル
14ａ  前方側面パネル
14ｂ  後方側面パネル
15ａ  基材板部
15ｂ  化粧板部
16    Ｖ溝
17後方板
18係合片
19係合溝
20接続片
21コ字型レール
22係合レール
Ｓ    収納スペース
【図１】
2006325788.tif 000003
【図２】
2006325788.tif 000004